(57)【要約】【課題】所望する容器を自由に選択して簡単に取り出すことが可能で、顧客が加熱手段等に触れて熱い思いをする心配がなく、しかも、エネルギーを加熱保温に有効に利用することができ、店内の温度変化の外乱による影響も受けにくい容器用展示販売器を提供する。【解決手段】容器７の配置位置を規制するための複数の位置決め穴４を穿設した天板５と周壁６とを備えた容器ホルダ部２とベース部３とを設け、ベース部３には加熱保温用のヒータから成る加熱手段９を配備する。容器７と容器７との間に適度な間隙をを設けることで容器７の取り出しを容易とし、容器ホルダ部２で支え板８と加熱手段９を覆うことで加熱部への接触事故を防止し、容器ホルダ部２で容器７の周辺の温度環境を安定させることで電力の無駄と外乱の影響を防止する。【選択図】　　　　図４
2004033370.tif 000002
【特許請求の範囲】
【請求項１】
飲食物を盛った容器を展示し販売するための容器用展示販売器であって、
前記容器の配置位置を規制する複数の位置決め穴を有する天板と、この天板の周囲を保持する周壁とを備えた容器ホルダ部を設け、
この容器ホルダ部を保持するベース部を前記容器ホルダ部の下端部に配設すると共に、このベース部と前記容器ホルダ部とで本体ケース部を構成し、
この本体ケース部の所定箇所に、前記ベース部と前記容器ホルダ部とで囲まれる内部領域を加熱する加熱手段を装備したことを特徴とする容器用展示販売器。
【請求項２】
プレート状に形成された前記加熱手段を前記ベース部の上面側に配置し、前記位置決め穴に挿入された前記容器の底面を前記加熱手段によって支えるようにしたことを特徴とする請求項１記載の容器用展示販売器。
【請求項３】
前記位置決め穴の直径を前記容器の最大外径部の直径よりも小さく形成し、前記位置決め穴に挿入された前記容器の外周部を前記位置決め穴で懸吊して保持することを特徴とした請求項１記載の容器用展示販売器。
【請求項４】
前記請求項１，２又は３記載の容器用展示販売器において、
前記天板の複数の位置決め穴の各々を独立して開閉するシャッタを、前記天板に装備したことを特徴とする容器用展示販売器。
【発明の詳細な説明】
【０００１】
【発明の属する技術分野】
本発明は、容器用展示販売器の改良、特に、異なる種類の飲食物を盛った容器の内から所望する容器を自由に選択して簡単に取り出すことが可能な容器用展示販売器に関する。
【０００２】
【従来の技術】
飲食物を盛った容器を展示および販売するための容器用展示販売器には、大きく分けて、密閉式のものとオープン式のものとがある。
【０００３】
【発明が解決しようとする課題】
密閉式の容器用展示販売器は、加熱手段を備えた容器載置部とドア付きのケーシング部とによって構成され、顧客がケーシング部のドアを空けて、内部の容器載置部から１つずつ容器を取り出すようになっている。
【０００４】
この種の容器用展示販売器は容器の保温性の点で優れるが、ドアはケーシング部の１面に設けられるか、あるいは、対向する２面に設けられるのが普通であり、顧客は常に手前側の容器から順に取っていかなければならず、先入れ後出し方式の販売、あるいは、先入れ先出し方式の販売にしか対処できない欠点がある。
【０００５】
このため、密閉式の容器用展示販売器は、専ら、単一種の飲食物を盛った多数の容器を販売するのに適しており、少量多品種の飲食物の販売には不向きである。
【０００６】
無論、内容物の種別によって列を分類した上で、種類の異なる飲食物を盛った容器をドアに沿って横列することは可能であるが、その場合、特定種の飲食物の容器のみが売れてしまうと、ドアの奥まで手を差し込んで容器を取り出す必要が生じ、その際、誤って容器載置部に触れてしまうと熱い思いをする危険性がある。
【０００７】
これに対し、オープン式の容器用展示販売器の場合は、邪魔になるケーシング部が無いため、加熱手段を備えた容器載置部の何処からでも飲食物の容器を取り出すことが可能である。しかし、ケーシング部がないために空気中への放熱が多くなって加熱手段のエネルギーが無駄に消費される欠点があり、また、店内の温度変化が外乱として容器の温度に影響を与えるため、飲食物の容器の温度制御が難しくなるといった問題がある。
【０００８】
更に、容器が適切に整列されずに取り出しにくくなる欠点があり、容器の底面を加熱する容器載置部に直に触ってしまうといった問題に対しても何ら考慮されていない。
【０００９】
【発明の目的】
そこで本発明の目的は、前記従来技術の欠点を解消し、飲食物を盛った容器の内から所望する容器を自由に選択して簡単に取り出すことが可能で、顧客が加熱手段に触れて熱い思いをする心配がなく、しかも、加熱手段のエネルギーを加熱保温に有効に利用することができ、店内の温度変化の外乱による影響も受けにくい容器用展示販売器を提供することにある。
【００１０】
【課題を解決するための手段】
本発明は、飲食物を盛った容器を展示および販売するための容器用展示販売器であり、前記目的を達成するため、特に、
容器の配置位置を規制する複数の位置決め穴を有する天板と、この天板の周囲を保持する周壁とを備えた容器ホルダ部を設け、
この容器ホルダ部を保持するベース部を前記容器ホルダ部の下端部に配設すると共に、このベース部と前記容器ホルダ部とで本体ケース部を構成し、
この本体ケース部の所定箇所に、前記ベース部と前記容器ホルダ部とで囲まれる内部領域を加熱する加熱手段を装備したことを特徴とする構成を有する。
【００１１】
容器ホルダ部の天板に穿設された複数の位置決め穴によって容器の配置位置を規制するようにしているので、近隣に位置する容器が不用意に密集して容器間に隙間がなくなる心配がない。このように、隣接する容器と容器との間には常に一定の間隙が形成されるかたちとなるので、飲食物を盛った多数の容器の内から所望する容器を自由に選択して何処からでも自由かつ簡単に取り出すことができるようになる。また、これにより、少量多品種の飲食物の販売も可能となる。
しかも、天板と周壁とからなる容器ホルダ部が加熱手段を覆うので、加熱手段の熱が空気中に過剰に放熱される問題、すなわち、エネルギーの無駄が軽減される。また、容器ホルダ部の天板および周壁とベース部によって容器の周囲の空気の温度を略一定に保持することが可能となるため、従来のオープン式の容器用展示販売器に比べ、店内の温度変化が外乱として作用して飲食物の容器の温度を変動させる現象が抑制される。
更に、天板と周壁とからなる容器ホルダ部が加熱手段を覆っているので、顧客が加熱手段に触って熱い思いをするといった事故も効果的に予防することが可能である。
【００１２】
ここで、前記加熱手段をプレート状に形成すると共に、この加熱手段をベース部の上面側に配置し、天板の位置決め穴に挿入された容器の底面を加熱手段によって支えるようにしてもよい。
【００１３】
容器の底面を直に加熱することができるので、容器および飲食物に対する加熱効果が向上する。
【００１４】
また、天板の位置決め穴の直径を容器の最大外径部の直径よりも小さく形成し、位置決め穴に挿入された容器の外周部を位置決め穴で懸吊して保持するように構成することも可能である。
【００１５】
このような構成を適用した場合、容器の底面側とベース部との間に隙間が生じるので、水平方向に連続する一連の空気層が容器の底面側に形成され、更に、この一連の空気層が容器間に形成された空気層の各々と一体に連絡する。従って、容器の底面に接しない容器ホルダ部内の位置、例えば、容器ホルダ部の周壁の内側に沿って加熱手段を設け、空気を加熱して間接的に容器を暖めるような場合においても、容器ホルダ部内での加熱空気の回りを良くすることが可能となり、コールドスポットの発生を防止して全ての容器を略均等に加熱できるメリットがある。
【００１６】
また、前記各構成に加え、位置決め穴の各々を独立して開閉するためのシャッタを天板に配備するようにしてもよい。
【００１７】
容器の保持されていない位置決め穴をシャッタで閉鎖することができるようになるため、支え板や加熱手段の放熱防止効果や外乱による温度変化の防止効果が更に向上し、加熱手段のエネルギーの有効利用が確実に達成されると共に、顧客が誤って支え板や加熱手段に触れるといった事故も確実に予防することができるようになる。シャッタの構造としては、例えば、単なる円形の嵌合蓋、あるいは、スライド式シャッタ等が利用可能である。
【００１８】
【発明の実施の形態】
以下、図面を参照して本発明の実施形態の幾つかについて詳細に説明する。図１は本発明を適用した容器用展示販売器の一実施形態について外観を示した斜視図である。
【００１９】
この実施形態の容器用展示販売器１は、図１に示されるように、概略において、容器ホルダ部２とベース部３とから成り、容器ホルダ部２とベース部３とで本体ケース部２９が構成されている。
【００２０】
このうち、容器ホルダ部２は、容器の配置位置を規制するための複数の位置決め穴４を穿設した天板５と、この天板５の周囲を保持する周壁６とによって構成される。
【００２１】
また、各位置決め穴４の内周部には、展示販売の対象となる容器の外周部と密着して空気の流れを遮断するウレタン等からなる柔軟なモール部材２０が取り付けられ、容器ホルダ部２の両側には、折畳式の把手２１が取り付けられている。把手２１は固定用ヒンジ２２を支点として９０°前後の範囲で回転可能とされ、非使用時には図１に示されるようにして周壁６に密着した状態で折り畳まれ、使用に際しては、図１の状態から９０°前後の角度で引き起こされて周壁６の側方に突出すようになっている。
【００２２】
一方、容器ホルダ部２の下端部に配設されたベース部３の上面には、図４の断面図に示されるように、容器ホルダ部２に配列された容器７の底面を支持するための熱伝導部材からなる支え板８が設けられ、支え板８の下面には、この支え板８を介して容器７および容器ホルダ部２内の空気、要するに、容器ホルダ部２の天板５と周壁６およびベース部３で囲まれる内部領域を加熱保温するためのプレート状のヒータから成る加熱手段９が固設されている。支え板８は実質的に加熱手段９の一部である。
【００２３】
図４に示されるように、支え板８から天板５に至る垂直離間距離は展示販売の対象となる容器７の高さよりも低くなるように周壁６の高さが調整されているので、位置決め穴４に容器７を突入させて天板８上に容器７を載置した状態では、必ず、容器７の上端部が天板５の位置決め穴４から上に突出する。この突出量は、概ね、容器７自体の高さの１／４〜１／３程度が適当である。
【００２４】
次に、位置決め穴４の各々を独立して開閉するシャッタ１０の構造について図２を参照して説明する。図２（ａ）は容器ホルダ部２を裏返して天板５の裏面側の構造を示した平面図、また、図２（ｂ）はシャッタ１０の開閉構造を示した断面図である。
【００２５】
この実施形態のシャッタ１０は、位置決め穴４の開口部の半分を覆うシャッタ部材１１と１２の組によって構成され、これらのシャッタ部材１１，１２の一側の両端に形成されたヒンジ部１４，１５の各々が、天板５の下面側において各位置決め穴４の間に横設されたシャフト１３によって回転自在に軸支されている。図２（ａ）から分かるように、シャッタ部材１１，１２は完全に同一の形状であり、相互に互換性がある。従って、シャッタ部材１１，１２を板金でプレス加工する場合には歩留まりの点で有利であり、また、シャッタ部材１１，１２を合成樹脂で射出成形するような場合には金型のコアやキャビティの製作コストの面で有利である。
【００２６】
また、隣接するシャッタ部材１１，１２を回転可能に装着するための固定手段となるシャフト１３を共用することにより、各シャッタ部材１１，１２に固有の固定手段を独立的に並列して設けた場合と比べ、パーツの配置スペースの節約が容易であり、位置決め穴４を近接して配備することが可能となるメリットがある。
【００２７】
天板５の裏面に設けられたステープル１６はシャフト１３を固定するためのもので、図２（ｃ）に示されるように、その中心部にはシャフト１３を通すための孔が穿設され、更に、その一側にはシャフト１３を押し込むための切欠部１６ａが形成されている。つまり、切欠部１６ａの外側からシャフト１３をステープル１６の中心に向けて押し込むことにより、ステープル１６を弾性変形させてステープル１６の中心部の孔にシャフト１３を突入させて固定する構成である。
【００２８】
また、シャッタ部材１１のヒンジ部１５とシャッタ部材１２のヒンジ部１５との間で露出したシャフト１３の外周部には捩りコイルバネ１７が取り付けられ、この捩りコイルバネ１７の両端から突出した直線部１７ａ，１７ｂによって、シャッタ部材１１，１２の各々が位置決め穴４を塞ぐ方向に勢い付けられている。シャッタ部材１１，１２の回転限界を図２（ｂ）中の符号１１’，１２’で示す。
【００２９】
つまり、シャッタ部材１１，１２によって構成されるシャッタ１０は、位置決め穴４の各々を塞ぐようにして天板５の下面側で位置決め穴４の縁に臨んで回転自在に配備されたシャッタであり、図２（ｂ）に示されるように、シャッタ部材１１，１２の各々が、位置決め穴４を開放する下方の回転位置１１’，１２’から天板５の下面に密着して位置決め穴４を閉鎖する回転位置に向けて捩りコイルバネ１７で勢い付けられていることになる。
【００３０】
天板５における位置決め穴４の他の配列例とシャッタ１０の他の構成例について図３に一例を示す。
【００３１】
図３に示されるように略円弧状のシャッタ部材１１，１２を製作し、位置決め穴４を近接させて千鳥足配置とすることも可能である。但し、この場合は、隣接するシャッタ部材１１，１２の固定手段となるシャフト１３を共用することはできないので、各シャッタ部材１１，１２毎に、固定手段となる短尺のシャフト１３やステープル１６および捩りコイルバネ１７等を設ける必要がある。
【００３２】
次に、図４の断面図を参照してベース部３の構成の主用部について説明する。
【００３３】
ベース部３は、プレス加工等で形成された金属製の支え板８と、その外周部を取り巻く矩形枠状のケーシング１８によって構成される。図４に示されるように、支え板８の外周部には断面形状が略クランク型の折り返し部８ａがプレス加工等によって一体に形成され、この折り返し部８ａにケーシング１８の上端部をタッピングネジ等で一体的に固着し、折り返し部８ａとケーシング１８の上端部との間に溝状の嵌合部１９を形成して、この嵌合部１９に容器ホルダ部２における周壁６の下端部を突入させて取り付ける構造である。つまり、容器ホルダ部２はベース部３に対して上下方向に着脱可能である。
【００３４】
支え板８の下面に固設されたヒータから成る加熱手段９は、加熱手段９と電源コード２３との間に介装されたサーモスタット２４と、常開型のリードスイッチ２５と、電源スイッチ２６とによってＯＮ／ＯＦＦ制御される。
【００３５】
リードスイッチ２５は、図５（ａ）および図５（ｂ）に示されるように、支え板８の折り返し部８ａの一部を切り欠いてケーシング１８の内側に取り付けられており、折り返し部８ａとケーシング１８との間に形成された嵌合部１９の内部にリード２７の先端を臨ませている。このリードスイッチ２５は常開型のスイッチである。従って、図５（ａ）および図５（ｂ）に示されるように、嵌合部１９の内部に容器ホルダ部２の周壁６が突入していない状態ではリードスイッチ２５はＯＦＦの状態に保持され、また、ベース部３上に容器ホルダ部２が置かれて周壁６の下端部が嵌合部１９に突入すると、リード２７に容器ホルダ部２の荷重が加わってリードスイッチ２５が容器ホルダ部２の装着を検出し、ＯＮの状態へと変化することになる。
【００３６】
サーモスタット２４は、支え板８の温度が低温側から設定温度に達した場合にＯＮの状態からＯＦＦの状態に変化し、また、支え板８の温度が高温側から設定温度を下回った場合にはＯＦＦの状態からＯＮの状態へと変化する。サーモスタット２４のＯＮ／ＯＦＦ動作は温度変化に対して多少の不感帯を有するが、温度制御に悪影響を及ぼすほどのものではない。サーモスタット２４の設定温度は図１に示される温度設定スイッチ２８を操作して変更することが可能である。電源スイッチ２６は手動式のＯＮ／ＯＦＦスイッチであり、電源コード２３から加熱手段９に駆動電力が供給されるのは、電源スイッチ２６，リードスイッチ２５，サーモスタット２４が同時にＯＮとなった場合に限られ、何れか１つでもＯＦＦ状態のスイッチがあれば加熱手段９に駆動電力は供給されない。
【００３７】
次に、この実施形態の容器用展示販売器１の使用方法について簡単に説明する。
【００３８】
まず、容器用展示販売器１は、容器７を展示販売する場所、例えば、レジのカウンター等の上に据置を前提として設置し、電源コード２３を電力供給用のコンセントに差し込んでおく。容器用展示販売器１を長時間に亘って非使用状態とする場合には電源スイッチ２６をＯＦＦとすることが望ましいが、通常の連続的な使用状態において一時的に容器ホルダ部２を回収して容器７の補給作業を行う場合、あるいは、容器ホルダ部２を回収して容器７の廃棄作業を行うような場合には、容器ホルダ部２の取り外しを検知したリードスイッチ２５が自動的に加熱手段９への通電を停止させるので、必ずしも、こまめに電源スイッチ２６を操作して消費電力対策や過熱防止対策を行うといった必要性はない。
【００３９】
容器用展示販売器１に展示販売の対象となる容器７をセットする場合には、まず、容器ホルダ部２の両側に設けられた把手２１を持って上方に持ち上げてベース部３から容器ホルダ部２を取り外し、ベース部３を展示販売の場所に放置したまま、容器ホルダ部２のみを飲食物の調理場所等に持ち込んで平坦な場所に載置する。
【００４０】
そして、容器７に調理済みの飲食物を盛り、図６（ａ）に示されるように、飲食物の入った容器７を天板５上の位置決め穴４に突入させるようにして容器ホルダ部２上に配置する。この際、シャッタ１０を構成するシャッタ部材１１，１２は上方から突入する容器７の底面で押され、捩りコイルバネ１７の力に抗して強制的に下方に押し開かれる。
【００４１】
ここで、容器７の内容物に見合った表示を施した蓋をする等して飲食物の内容を明確に識別すれば、様々な飲食物を盛った容器７を単一の容器ホルダ部２上に混在させて配置することができる。無論、空の容器７を容器ホルダ部２にセットしてから各容器７に飲食物を盛るようにしても構わない。
【００４２】
容器ホルダ部２に容器７をセットしたならば、図６（ｂ）に示されるようにして把手２１を引き起こし、この把手２１を持って容器ホルダ部２と共に飲食物充填済みの容器７の全てを持ち上げ、この容器ホルダ部２を展示販売の場所、つまり、ベース部３を置いた場所まで搬送する。天板５に設けられた位置決め穴４の直径は、下から上に向けて断面積を増大させるテーパ状の容器７の最大外径部に比べて僅かに小さ目に形成されているので、容器ホルダ部２を図６（ｂ）のようにして持ち上げても位置決め穴４から容器７が下方に抜け落ちることはない。また、容器７の外周部が位置決め穴４の内周に密着して保持されるので、通常の盆を搬送手段として利用する場合とは違って、容器ホルダ部２の搬送中に容器７が転倒して内容物が零れるような心配もない。
【００４３】
そして、搬送完了後、ベース部３の外周部に形成された嵌合部１９に周壁６の下端部を嵌合させるようにして、ベース部３上に容器ホルダ部２を設置する。この実施形態では、図６（ｂ）に示されるように位置決め穴４に容器７の外周部が密着した状態で、周壁６の下端部、より厳密には図６（ｂ）に二点鎖線で示されるような支え板８の対応位置から天板５に至る垂直離間距離Ｓ１が、容器７の底面から天板５に至る垂直離間距離Ｓ２に比べて僅かに短くなるように周壁６の高さを決定しているので、ベース部３上に容器ホルダ部２を設置した状態では必ず容器７の底面が支え板８の上面に密着して載置されることになり、容器７の底面が支え板８から浮くようなことは決してない。
【００４４】
ベース部３に容器ホルダ部２が置かれて周壁６の下端部が嵌合部１９に突入すると、リードスイッチ２５が容器ホルダ部２の装着を検出してＯＦＦの状態からＯＮの状態へと変化する。従って、電源スイッチ２６が予めＯＮとされていれば、自動的に加熱手段９に電力が供給され、支え板８および支え板８上に載置された容器７の加熱保温が開始されることになる。通常、この段階での支え板８の温度は室温と同等、少なくとも、設定温度よりは低い温度であるから、サーモスタット２４も閉路状態を維持している。
【００４５】
このようにして支え板８および支え板８上に載置された容器７の加熱保温が開始された後、支え板８の温度が設定値に達すると自動的にサーモスタット２４が開路して加熱手段９に対する通電を停止し、また、支え板８の温度が設定値を下回ると自動的にサーモスタット２４が閉路して加熱手段９に対する通電を再開して支え板８の温度を設定値の近傍に保持する。
【００４６】
この際、加熱手段９を固設した支え板８は天板５と周壁６とからなる容器ホルダ部２によって覆われているので、支え板８や加熱手段９の熱が空気中に過剰に放熱されることはなく、電力の無駄が軽減される。また、天板５および周壁６と支え板８とによって容器７の周囲の空間が外部と絶縁されて容器７の周囲の空気の温度を略一定に保持することが可能となるため、店内の温度に変化が生じたような場合であっても、この温度変化が外乱として作用して容器７の温度を変動させることは少なく、容器７の温度制御も容易である。従って、温度センサやインバータのデューティ比制御等を併用した複雑な制御ループは不要であり、単純な構成のサーモスタット２４を利用したオープンループの制御で容易に容器７の温度を設定値（６０°〜８０℃）に保持することができる。
【００４７】
特に、本実施形態においては、容器７の外周部と位置決め穴４の内周との間の隙間がウレタン等からなる柔軟なモール部材２０によって塞がれ、しかも、容器７を実装していない部分の位置決め穴４はシャッタ１０によって塞がれるので、外気の侵入に対する遮断効果が高く、ヒータ電力（エネルギー）の有効利用の点で有利である。
【００４８】
また、加熱手段９を固設した支え板８が容器ホルダ部２によって覆われ、同時に、容器７を実装していない部分のシャッタ１０が閉鎖状態に保持されることから、顧客が不用意に支え板８に触れて熱い思いをするといった事故も確実に解消することができる。
【００４９】
顧客は容器７の開口部に取り付けられた蓋の表示を参照して内容物を確認し、容器ホルダ部２に実装されている容器７の内から好みの物を選択して、容器ホルダ部２上の何処からでも自由に取り出すことができる。従って、少量多品種の飲食物の販売が可能である。また、各容器７の位置は天板５に設けられた位置決め穴４によって規制されているので、隣接する容器７と容器７との間には常に一定の間隙が形成される。しかも、容器７の上端部の１／４〜１／３程度が天板５の位置決め穴４から上に突出しているので、顧客は、容器７の本体部分を確実に掴んで取り出すことができる。これにより、容器７を密集配置して展示販売する際に発生する可能性のある失敗、例えば、顧客が容器７の蓋の部分を掴んで容器７を取り上げようとした再に中身を取り落とす等の失敗が未然に防止される。
【００５０】
そして、顧客が容器ホルダ部２から容器７を取り出した場合には、捩りコイルバネ１７によって勢い付けられているシャッタ部材１１，１２が回転して天板５の下面に密着し、容器７が取り出された部分の位置決め穴４を自動的に閉鎖する。従って、多数の容器７が販売されて再補給が行われないような場合であっても、残りの容器７の個数の大小に関わりなく、未販売の容器７の周辺の温度環境を一定に保って適切な温度制御を行うことが可能である。店員あるいは顧客がシャッタ１０の開閉操作を行う煩わしさは一切ない。
【００５１】
また、何等かの理由で容器用展示販売器１上で容器７の内容物を零してしまったような場合であっても、容器ホルダ部２をベース部３から簡単に取り外すことができるので、ベース部３の手入れ、特に、容器７の底面を支持する支え板８の手入れは極めて容易であり、常に衛生的な展示販売を行うことができる。
【００５２】
なお、展示開始後からの経過時間が所定値に達した場合、例えば、１時間の賞味期間が経過した場合には、売れ残っている容器７を全て回収して廃棄処分するものとする。この場合の廃棄作業も調理場等で行われることになるが、前述したように、ベース部３を展示販売の場所に放置したまま容器ホルダ部２を持って容器７を纏めて搬送するようにすれば、廃棄作業は１回で済む。
【００５３】
このようにしてベース部３から容器ホルダ部２を取り外した場合には、リードスイッチ２５が自動的に開路するので、仮に、電源スイッチ２６がＯＮのままであったとしても加熱手段９に対する電力の供給は自動的に停止される。従って、ベース部３から容器ホルダ部２を取り外した状態、つまり、支え板８上に容器７が存在しない状態での加熱手段９への無駄な通電が防止され、電力の節約効果が更に向上する。また、覆いとなる容器ホルダ部２が取り付けられていない状態での加熱手段９および支え板８の加熱が防止されるので使用上の安全が確保され、容器用展示販売器１が容器７を過熱保温するといった本来の目的以外に使用されるといった問題も未然に防止される。
【００５４】
次に、図７を参照して容器ホルダ部２の天板５に設けられた位置決め穴４を利用して容器７を懸吊するようにした実施形態について簡単に説明する。
【００５５】
図７で示した容器ホルダ部２は前述した実施形態の容器ホルダ部２と比べて位置決め穴４の直径が更に小さく形成されており、図７に示されるようにして容器ホルダ部２をベース部３に載置した状態で、位置決め穴４に挿入された容器７の外周部が位置決め穴４で懸吊して保持される。この結果、容器７の底面と支え板８との間には隙間が生じ、水平方向に連続する一連の空気層３０が形成され、この空気層３０が容器７間に形成された空気層３１の各々と一体に連絡することになる。
【００５６】
このような構成を適用した場合、加熱手段９および支え板８は容器７の底面を直には加熱せず、容器ホルダ部２内の空気、要するに、容器ホルダ部２の天板５と周壁６およびベース部３で囲まれる内部領域内の空気を介して容器７を暖めることになるが、前述した通り、多数の容器７によって分断された空気層３１の各々が、水平方向に連続する一連の空気層３０によって一体に連絡されているので、容器ホルダ部２内の空気の回り（流れ）がよく、この領域内にコールドスポットが発生することを未然に防止し、全ての容器７を略均等に加熱することが可能となる。
【００５７】
従って、このような構成を適用した場合、加熱手段９を必ずしも支え板８の下面に配備する必要はない。例えば、容器ホルダ部２の周壁６の内側に沿って加熱手段９に代わる棒状の加熱手段（棒ヒーター）を設けるといったことも可能であり、そうした場合であっても全ての容器７を略均等に加熱することができる。
なお、この場合の支え板８には容器７を支える機能はなく、単に、空気の出入を遮断するための板として機能する。
更に言えば、加熱手段は必ずしも電力を利用したものでなくともよく、例えば、比熱比の大きな蓄熱材（予め加熱しておくことを前提とする）、あるいは、化学変化を利用して熱を発するようなものであっても構わない。
【００５８】
次に、容器ホルダ部とベース部とから成る本体ケース部を上下に間隔を空けて重合配備することによって容器用展示販売器の設置スペースを有効に利用して多数の容器を展示販売するようにした実施形態について図８を参照して説明する。
【００５９】
図８に示した容器用展示販売器３２は、容器ホルダ部３３とベース部３４とから成る本体ケース部３５を上下方向に重合して３段に配備したもので、各段に設けられた本体ケース部３５のベース部３４はバックプレート３６に一体的に取り付けられ、また、容器ホルダ部３３は個別に着脱可能とされている。
【００６０】
ベース部３４の構造は、その形状を除き、図４で示した実施形態のベース部３と実質的に同様であり、加熱手段としてのヒータおよびサーモスタットとリードスイッチ等を内蔵しているが、温度設定スイッチ３７と電源スイッチ３８および電源コード３９に関しては、最下段のベース部３４にのみ設けられている。
【００６１】
つまり、温度設定スイッチ３７によって各段のベース部３４に対して共通の目標温度を設定し、各段のベース部３４に対する電源供給のＯＮ／ＯＦＦを電源スイッチ３８によって一括して制御する構成である。
無論、技術的には、各段のベース部３４毎に独立した温度設定スイッチ３７を配備し、顧客の希望あるいは販売する商品の種類等に合わせて、熱め，普通，温め等の温度設定が各段毎にできるように構成することも可能である。
【００６２】
この実施形態では容器７の取り出し易さを考慮して各容器ホルダ部３３の外周部に沿って略円弧状に位置決め穴４０を配備しているが、最上段の容器ホルダ部３３に関しては、外周部の容器７が邪魔になって容器の取り出しに支障を来たすといったことはないので、更に、中央部にもう１つの位置決め穴４０を追加することも可能である。
【００６３】
各位置決め穴４０には既に図３等を参照して説明した構造のシャッタを個別に設けるようにしてもよい。
【００６４】
図９は、更に別の実施形態の容器用展示販売器４１について示した斜視図である。
【００６５】
この実紙形態の容器用展示販売器４１では、容器ホルダ部４２とベース部４３とから成る本体ケース部４４を上下方向に重合して３段に配備し、ベースプレート４５に植設したシャフト４６で各段の本体ケース部４４を各々個別に回転自在に保持している。
【００６６】
ベース部４３の構造は、その形状を除き、図４で示した実施形態のベース部３と実質的に同様であり、加熱手段としてのヒータおよびサーモスタット等を内蔵しているが、温度設定スイッチ４７と電源スイッチ４８および電源コード４９に関しては、最下段のベースプレート４５に設けられている。
【００６７】
つまり、温度設定スイッチ４７によって各段のベース部４３に対して共通の目標温度を設定し、各段のベース部４３に対する電源供給のＯＮ／ＯＦＦを電源スイッチ４８によって一括して制御する構成である。
【００６８】
更に、この実施形態では、シャフト４６によって各段の本体ケース部４４を各々個別に回転自在に支持する必要上、各段の本体ケース部４４の装着位置に対応するシャフト４６上の各位置に、シャフト４６の外周に沿った環状の電極が設けられ、電源コード４９を介して供給される駆動電力が、これらの環状電極と各段のベース部４３に設けられた図示しないブラシ状の電極とを介して各段のベース部４３のヒータに供給されるようになっている。
【００６９】
シャフト４６の上端部に固設されたダストカバー５０は、各段の容器７への埃の落下を防ぐためのものである。
【００７０】
図８あるいは図９等に示されるようにして容器ホルダ部とベース部とから成る本体ケース部を上下に間隔を空けて重合配備することで、容器用展示販売器の設置スペースが不十分な場合であっても、そのスペースを有効に利用して多数の容器を展示販売することが可能となる。
【００７１】
以上の実施形態では容器ホルダ部をベース部に対して着脱可能とした容器用展示販売器の例について述べたが、容器ホルダ部とベース部とを一体の構成とすることも可能である。
【００７２】
具体的には、図４に示した構成をそのまま転用し、容器ホルダ部２の周壁６とベース部３のケーシング１８とを一体のパーツ構成とし、この矩形枠状のパーツの中に加熱手段９およびサーモスタット２４等を装着した支え板８を挿入して、折り返し部８ａの部分を矩形枠の外側からタッピングネジで固定する等の方法がある。
【００７３】
【発明の効果】
本発明の容器用展示販売器は、容器の配置位置を規制するための複数の位置決め穴を容器ホルダ部の天板に備えているので、隣接する容器と容器との間には常に一定の間隙が形成される。従って、飲食物を盛った多数の容器の内から所望する容器を自由に選択して何処からでも自由かつ簡単に取り出すことができ、少量多品種の飲食物の販売も容易に実施することができる。
しかも、天板と周壁とからなる容器ホルダ部が加熱手段を覆うので、加熱手段の熱が空気中に過剰に放熱される問題、すなわち、エネルギーの無駄が軽減される。また、容器ホルダ部の天板および周壁とベース部とによって容器の周囲の空気の温度を略一定に保持することが可能となるため、従来のオープン式の容器用展示販売器に比べ、店内の温度変化が外乱として作用して飲食物の容器の温度を変動させる現象が抑制される。
更に、天板と周壁とからなる容器ホルダ部が加熱手段を覆っているので、顧客が加熱手段に触って熱い思いをするといった事故も効果的に予防することが可能である。
【００７４】
また、加熱手段をベース部の上面側に配置し、天板の位置決め穴に挿入された容器の底面を加熱手段によって支える構成を適用した場合では、容器の底面を直に加熱することが可能となるので、容器および飲食物を確実に加熱できるメリットがある。
【００７５】
一方、天板の位置決め穴の直径を容器の最大外径部の直径よりも小さく形成し、位置決め穴に挿入された容器の外周部を位置決め穴で懸吊して保持する構成を適用した場合では、水平方向に連続する一連の空気層が容器の底面側に形成され、この一連の空気層が容器間に形成された空気層と一体に連絡するので、多数の容器を配置した場合であっても容器ホルダ部内での加熱空気の回りを良くすることが可能となり、加熱手段をどのような場所に配備した場合であっても、また、広い面積を持たない加熱手段を分散配備したような場合であっても、容器を配置した領域内にコールドスポットを発生することなく多数の容器を略均等に暖めることが可能となるメリットがある。
【００７６】
また、位置決め穴の各々を独立して開閉するためのシャッタを天板に配備しているので、容器の配置されていない位置決め穴をシャッタで閉鎖することができ、加熱手段の放熱防止効果や外乱による温度変化の防止効果が更に向上し、エネルギーの有効利用が確実に達成されると共に、顧客が誤って加熱手段に触れるといった事故も確実に予防することができる。
【図面の簡単な説明】
【図１】本発明を適用した容器用展示販売器の一実施形態について外観を示した斜視図である。
【図２】図２（ａ）は同実施形態の容器用展示販売器の容器ホルダ部を裏返して裏面側の構造を示した平面図、図２（ｂ）はシャッタの開閉構造を示した断面図、図２（ｃ）はステープルの形状を示した図である。
【図３】天板における位置決め穴の配列とシャッタの他の構成例について示した平面図である。
【図４】同実施形態の容器用展示販売器の内部構造を示した断面図である。
【図５】図５（ａ）および図５（ｂ）は消費電力抑制手段として機能する常開型のリードスイッチの取り付け構造について示した図である。
【図６】容器ホルダ部に容器をセットするときの作業について示した概念図であり、図６（ａ）ではテーブル上に容器ホルダ部を置いて容器を実装するときの状態を、また、図６（ｂ）では容器を実装した容器ホルダ部を持ち上げたときの状態を示している。
【図７】他の実施形態の容器ホルダ部の構成について示した概念図である。
【図８】本体ケース部を上下に重合配備することによって容器用展示販売器の設置スペースを有効に利用して多数の容器を展示販売するようにした実施形態について示した斜視図である。
【図９】本体ケース部を上下に重合配備することによって容器用展示販売器の設置スペースを有効に利用して多数の容器を展示販売するようにした他の実施形態について示した斜視図である。
【符号の説明】
１　容器用展示販売器
２　容器ホルダ部
３　ベース部
４　位置決め穴
５　天板
６　周壁
７　容器
８　支え板
８ａ　折り返し部
９　加熱手段（ヒータ）
１０　シャッタ
１１，１２　揺動式のシャッタ部材
１１’，１２’　揺動式のシャッタ部材の揺動限界
１３　シャフト
１４，１５　ヒンジ部
１６　ステープル
１６ａ　切欠部
１７　捩りコイルバネ（付勢手段）
１７ａ，１７ｂ　捩りコイルバネの直線部
１８　ケーシング
１９　嵌合部
２０　モール部材
２１　折畳式の把手
２２　固定用ヒンジ
２３　電源コード
２４　サーモスタット
２５　リードスイッチ
２６　電源スイッチ
２７　リード
２８　温度設定スイッチ
２９　本体ケース部
３０　一連の空気層
３１　容器で分断された空気層
３２　容器用展示販売器
３３　容器ホルダ部
３４　ベース部
３５　本体ケース部
３６　バックプレート
３７　温度設定スイッチ
３８　電源スイッチ
３９　電源コード
４０　位置決め穴
４１　容器用展示販売器
４２　容器ホルダ部
４３　ベース部
４４　本体ケース部
４５　ベースプレート
４６　シャフト
４７　温度設定スイッチ
４８　電源スイッチ
４９　電源コード
５０　ダストカバー
【図１】
2004033370.tif 000003
【図２】
2004033370.tif 000004
【図３】
2004033370.tif 000005
【図４】
2004033370.tif 000006
【図５】
2004033370.tif 000007
【図６】
2004033370.tif 000008
【図７】
2004033370.tif 000009
【図８】
2004033370.tif 000010
【図９】
2004033370.tif 000011